(57)【要約】【課題】鉄筋篭を正確かつ容易に組立して、現場配筋作業を簡略化する。組み上げた鉄筋篭を吊り込み、搬送する際に生じる変形や歪みの発生を防止する。【解決手段】第一主鉄筋１を二等辺三角形の頂点として、第二主鉄筋２、２を底辺位置に、斜辺の位置にラチス筋３を配置固定して立体トラスを形成する。第一主鉄筋１の外側に、第一主鉄筋１と直交して、巾Ｄ１の支持部材７、７を接合して鉄筋篭用治具１０とする。大梁（Ｈ鋼）１３、１３間で、小梁構築位置に、第二主鉄筋２を大梁１３の上面１４に載置して鉄筋篭用治具１０を架設する（ａ）（ｂ）。鉄筋篭用治具１０を案内として、小梁用の上軸鉄筋１６、１６、下軸鉄筋１７、１７、あばら筋１８、１８を配置して、互いに固定して、小梁（鉄筋篭）２０を構築する（ｂ）（ｄ）。【選択図】図２
2005009241.tif 000002
【特許請求の範囲】
【請求項１】
並列した第一主鉄筋と第二主鉄筋とをラチス筋で接合して、前記第一主鉄筋又は第二主鉄筋に、両主鉄筋と交叉するように、鉄筋篭用の軸鉄筋を受けることができる支持部材を固着したことを特徴とする鉄筋篭用治具。
【請求項２】
支持部材は、端縁を、鉄筋篭の一側面の隅部軸鉄筋の位置に一致させると共に、長さ方向に、前記鉄筋篭の軸鉄筋の位置に一致させたことを特徴とした請求項１記載の鉄筋篭用治具。
【請求項３】
並列した第一主鉄筋と第二主鉄筋とをラチス筋で接合してトラスを形成し、前記第一主鉄筋又は第二主鉄筋で、鉄筋篭用の軸鉄筋を受けることができるように前記トラスを並列して配置したことを特徴とする鉄筋篭用治具。
【請求項４】
以下の手順で、鉄筋篭としての小梁を構築することを特徴とした鉄筋篭の組立方法。
（１）  並列した第一主鉄筋と第二主鉄筋とをラチス筋で接合して、前記第一主鉄筋の外側に、直交して支持部材を接合して鉄筋篭用治具を構成する。
（２）  並列した大梁間に、前記第一主鉄筋を上に向けて鉄筋篭用治具を架設し、前記大梁上に、前記第一主鉄筋を載置固定する。
（３）  前記支持部材上に、小梁の上に位置する一側の軸筋を架設載置して前記第一主鉄筋に沿わせて配置する。
（４）  前記鉄筋篭用治具の下方に、小梁の下に位置する他側の軸筋を配置すると共に、前記一側及び他側の軸筋にせん断補強筋を取り付け、一側他側の軸筋及びせん断補強筋を結束して小梁を構成する。
【請求項５】
下の手順で、鉄筋篭を構築することを特徴とした鉄筋篭の組立方法。
（１）  並列した第一上主鉄筋と第二主鉄筋とをラチス筋で接合して、前記第一主鉄筋の外側上に、直交して支持部材を接合して鉄筋篭用治具を構成する。
（２）  前記鉄筋篭用治具の前記支持部材に、鉄筋篭の一側の軸筋を架設載置して第一主鉄筋に沿わせて配置仮止めする。
（３）  第二主鉄筋の外方で、前記一側の軸筋に並列して、鉄筋篭の他側の軸筋を配置すると共に、前記両軸筋にせん断補強筋を取り付け、一側他側の軸筋及びせん断補強筋を結束して鉄筋篭を構成する。
【請求項６】
鉄筋篭用治具を第一鉄筋篭用治具として、該第一鉄筋篭用治具に対向して第二鉄筋篭用治具を配置して、両鉄筋篭用治具の第二主鉄筋を対向して配置し、第二鉄筋篭用治具の支持部材に、他側の軸筋を仮止めする
ことを特徴とする請求項３又は４記載の鉄筋篭の組立方法。
【請求項７】
以下の手順で、鉄筋篭としての壁を構築することを特徴とした鉄筋篭の組立方法。
（１）  並列した第一上主鉄筋と第二主鉄筋とをラチス筋で接合してなるトラスを並列して、鉄筋篭用治具を構成する。
（２）  前記並列した鉄筋篭用治具のいずれかの主鉄筋側に、前記主鉄筋を案内として第一格子鉄筋を載置して、当接した主鉄筋と第一格子鉄筋とを固定し、
（３）  前記並列した鉄筋篭用治具の他の主鉄筋側に、該主鉄筋を案内として第二格子鉄筋を載置して、当接した主鉄筋と第二格子鉄筋とを固定する。
（４）  以上のようにして、鉄筋篭を構成する。
【発明の詳細な説明】
【０００１】
【発明の属する技術分野】
この発明は、コンクリート系構造物で、柱、梁、壁、床などの鉄筋篭を構築する際に使用する鉄筋篭用治具及び、この治具を使用した鉄筋篭の組立方法に関する。
【０００２】
【従来の技術】
従来、鉄骨鉄筋コンクリート構造物で、大梁間に架設する小梁は、鉄骨を使用せずに、現場で鉄筋を組んで構築していた。この場合、鉄骨製の大梁間に上下の主鉄筋を渡し、主鉄筋の周りにせん断補強筋（あばら筋）を取り付けて、当接点を結束して構築していた。従って、型枠を組み立てる前に先に鉄筋を組む場合には、基準となるものがなく、正確な位置に構築することが困難であり、熟練技術を要していた。
【０００３】
また、現場での構築作業を軽減するために、予め鉄筋篭を組む方法も種々提案されている（例えば、特許文献１）。この場合、組立補助装置に形成された挿入孔に、鉄筋を差し込んで、保形するものであった。
【０００４】
【特許文献１】特開平７−２１７０７４号
【０００５】
【発明が解決しようとする課題】
前記従来の方法では、組上がった鉄筋篭は組立補助装置から外され、組上がった鉄筋篭のみを重機類で吊り上げたりして、構築現場に搬送していた（特許文献１の図６参照）。従って、搬送や組立の際に、鉄筋篭に歪みや変形が生じやすく、また、これを防止する為には、別途各種治具を使用しなければならない問題点があった。
【０００６】
【課題を解決するための手段】
然るにこの発明では、第一第二主鉄筋をラチス筋で接合して、支持部材を取り付けて鉄筋篭用治具を構成し、この鉄筋篭用治具を使用して鉄筋篭を組み立てるので、前記問題点を解決した。
【０００７】
即ちこの発明は、並列した第一主鉄筋と第二主鉄筋とをラチス筋で接合して、前記第一主鉄筋又は第二主鉄筋に、両主鉄筋と交叉するように、鉄筋篭用の軸鉄筋を受けることができる支持部材を固着したことを特徴とする鉄筋篭用治具である。ここで、支持部材は、端縁を、鉄筋篭の一側面の隅部軸鉄筋の位置に一致させると共に、長さ方向に、前記鉄筋篭の軸鉄筋の位置に一致させることが望ましい。
【０００８】
また、他の発明は、並列した第一主鉄筋と第二主鉄筋とをラチス筋で接合してトラスを形成し、前記第一主鉄筋又は第二主鉄筋で、鉄筋篭用の軸鉄筋を受けることができるように前記トラスを並列して配置したことを特徴とする鉄筋篭用治具である。
【０００９】
また、他の発明は、
以下の手順で、鉄筋篭としての小梁を構築することを特徴とした鉄筋篭の組立方法である。
（１）  並列した第一主鉄筋と第二主鉄筋とをラチス筋で接合して、前記第一主鉄筋の外側に、直交して支持部材を接合して鉄筋篭用治具を構成する。
（２）  並列した大梁間に、前記第一主鉄筋を上に向けて鉄筋篭用治具を架設し、前記大梁上に、前記第一主鉄筋を載置固定する。
（３）  前記支持部材上に、小梁の上に位置する一側の軸筋を架設載置して前記第一主鉄筋に沿わせて配置する。
（４）  前記鉄筋篭用治具の下方に、小梁の下に位置する他側の軸筋を配置すると共に、前記一側及び他側の軸筋にせん断補強筋を取り付け、一側他側の軸筋及びせん断補強筋を結束して小梁を構成する。
【００１０】
また、他の発明は、以下の手順で、鉄筋篭を構築することを特徴とした鉄筋篭の組立方法である。
（１）  並列した第一上主鉄筋と第二主鉄筋とをラチス筋で接合して、前記第一主鉄筋の外側上に、直交して支持部材を接合して鉄筋篭用治具を構成する。
（２）  前記鉄筋篭用治具の前記支持部材に、鉄筋篭の一側の軸筋を架設載置して第一主鉄筋に沿わせて配置仮止めする。
（３）  第二主鉄筋の外方で、前記一側の軸筋に並列して、鉄筋篭の他側の軸筋を配置すると共に、前記両軸筋にせん断補強筋を取り付け、一側他側の軸筋及びせん断補強筋を結束して鉄筋篭を構成する。
【００１１】
また、前記において、鉄筋篭用治具を第一鉄筋篭用治具として、該第一鉄筋篭用治具に対向して第二鉄筋篭用治具を配置して、両鉄筋篭用治具の第二主鉄筋を対向して配置し、第二鉄筋篭用治具の支持部材に、他側の軸筋を仮止めする
ことを特徴とする鉄筋篭の組立方法である。
【００１２】
更に、他の方法は、以下の手順で、鉄筋篭としての壁を構築することを特徴とした鉄筋篭の組立方法である。
（１）  並列した第一上主鉄筋と第二主鉄筋とをラチス筋で接合してなるトラスを並列して、鉄筋篭用治具を構成する。
（２）  前記並列した鉄筋篭用治具のいずれかの主鉄筋側に、前記主鉄筋を案内として第一格子鉄筋を載置して、当接した主鉄筋と第一格子鉄筋とを固定し、
（３）  前記並列した鉄筋篭用治具の他の主鉄筋側に、該主鉄筋を案内として第二格子鉄筋を載置して、当接した主鉄筋と第二格子鉄筋とを固定する。
（４）  以上のようにして、鉄筋篭を構成する。
【００１３】
前記における鉄筋篭とは、柱や梁など主に軸筋とせん断補強筋で構成される場合のほか、床や壁などの格子状に配置した鉄筋で構成される場合も含む。
【００１４】
また、前記における基台とは、特定の作業台の他、現場内のスラブ面、地面等をも含む。
【００１５】
【発明の実施の形態】
（１）  第一主鉄筋１を頂点として、二等辺三角形の底辺を形成する２本の第二主鉄筋２、２を並列して配置し、該二等辺三角形の斜辺の位置にラチス筋３を配置して、第一主鉄筋１と第二主鉄筋２とを夫々溶接して立体トラスを形成する。第一主鉄筋１の外側（第二主鉄筋２の他側）に、第一主鉄筋１と直交して支持部材７、７を接合して鉄筋篭用治具１０を構成する（図１）。支持鉄筋７の長さＤ１は、予め梁巾、即ち上軸鉄筋の巾に応じて長さを設定する。
【００１６】
（２）  Ｈ型鋼からなる大梁１３、１３間で、小梁構築位置に、第二主鉄筋２、２を上にして鉄筋篭用治具１０を架設する。第二主鉄筋２を大梁１３の上面１４に載置し、必要ならば固定する。この際、鉄筋篭用治具１０は、平面位置で、小梁の中心に第一主鉄筋１が位置するように配置する。
【００１７】
（３）  支持鉄筋７上に、鉄筋篭用治具１０を案内として、小梁用の上軸鉄筋１６、１６を架設して、続いて下軸鉄筋１７、１７、あばら筋１８、１８を配置して、互いに固定して、小梁（鉄筋篭）２０を構築する（図２（ｂ）（ｄ））。
【００１８】
【実施例１】
図１に基づきこの発明の鉄筋篭用治具の実施例を説明する。
【００１９】
上下逆にした二等辺三角形の頂点の位置に１本の第一主鉄筋１を配置し、上下逆にした二等辺三角形の底辺の位置に２本の第二主鉄筋２、２を配置し、二等辺三角形の斜辺の位置に、山部４と谷部５とが連続したラチス筋３を配置する。ラチス筋３の山部４が第二主鉄筋２に当接して、ラチス筋３の谷部５が第一主鉄筋１に当接し、当接位置を溶接する。
【００２０】
第二主鉄筋２の上面側（外側）２ａに、第二主鉄筋２、２に直交する支持鉄筋７、７を固着する。支持鉄筋７は、第二主鉄筋２の長さ方向に並列して配置されている。以上のようにして、立体状の鉄筋篭用治具１０を構成する（図１）。尚、ラチス筋３は第二主鉄筋２、２の内側に配置したが、第二主鉄筋２、２の外側に配置することもできる（図示していない）。
【００２１】
前記において、支持鉄筋７は、使用する対象に応じて、適宜長さを調節する。この際、支持鉄筋７の長さ（即ち、端縁８の位置）は、使用する鉄筋篭の隅部の軸方向の鉄筋の位置に応じて形成される。また、支持鉄筋７に、鉄筋篭の他の軸方向の鉄筋の位置を、刻印・インキなどの方法で予めマークしておくこともできる。また、第一第二主鉄筋１、２に軸方向と直交する方向の鉄筋の位置も同様にマークしておくこともできる。
【００２２】
前記実施例において、第二主鉄筋２、２は２本配置して、鉄筋篭用治具１０を立体形状に形成したが、第二主鉄筋２は１本として、平面状に形成することもできる（図示していない）。
【００２３】
また、前記実施例において、支持鉄筋７は、丸棒あるいは異形鉄筋等目的に応じて適宜材料を選択できる（図示していない）。また、鉄筋以外に、管状、板状等の部材を使用することもできる（図示していない）。
【００２４】
また、前記実施例において、ラチス筋３は、山部４、谷部５が連続した形状としたが、棒材を斜めに配置して、ラチス筋とすることもできる（図示していない）。この場合、隣接する棒材の交点部分が山部４、谷部５を形成する。
【００２５】
【実施例２】
図２に基づき、前記鉄筋篭用治具１０を使用した鉄筋篭の組立方法で、鉄骨鉄筋コンクリート構造物の小梁に適用した実施例について、説明する。
【００２６】
（１）  既に、鉄骨の躯体が構築され、Ｈ型鋼からなる大梁１３、１３間で、小梁構築位置に、鉄筋篭用治具１０を架設する。この際、鉄筋篭用治具１０の第二主鉄筋２、２を、大梁１３の上フランジの上面１４に載置する。
【００２７】
この際、鉄筋篭用治具１０は、平面位置で、小梁の中心に第一主鉄筋１が位置するように配置する。また、支持鉄筋７の長さＤ１は、予め梁巾、即ち上軸鉄筋の巾に応じて長さを設定する。
【００２８】
（２）  続いて、支持鉄筋７上に、小梁用の上軸鉄筋１６、１６を架設して、支持鉄筋７、７に結束仮止めする。この際、両端に位置する上軸鉄筋１６ａ、１６ａは、支持鉄筋７の端縁８、８位置に合わせて、第二主鉄筋２、２に沿うように配筋すれば、容易に所定位置に配置できる。また、支持鉄筋７に中間部に位置する軸鉄筋１６の位置をマークしておけば、更に配筋作業を簡略化しかつ正確にできる。
【００２９】
（３）  続いて、上軸鉄筋１６、１６の下方（鉄筋篭用治具１０の下方）に下軸鉄筋１７、１７を配置する。この場合、下軸鉄筋１７は大まかな位置に配置すれば良い。続いて、あばら筋（せん断補強筋）１８、１８を上下軸鉄筋１６、１７の周りに取り付け、上下軸鉄筋１６、１７及びあばら筋１８、１８を互いに結束固定する。
【００３０】
尚、下軸鉄筋１７とあばら筋１８の取付けは、従来同様に、何れを先に取り付けても、あるいは同時であっても、可能である。
【００３１】
（４）  以上のようにして、鉄筋篭としての小梁２０の構築が完了する（図２（ｂ）（ｄ））。以降は、従来同様に、型枠を構築して、コンクリートを打設する。
【００３２】
【実施例３】
図３に基づき、前記鉄筋篭用治具１０を使用した鉄筋篭の組立方法で、柱用の鉄筋篭３０に適用した実施例について説明する。
【００３３】
（１）  ２つの鉄筋篭用治具１０、１０を、予め構築予定の柱用鉄筋篭の軸鉄筋位置に応じて支持鉄筋７の長さをＬ１に設定する。両鉄筋篭用治具１０、１０を第一主鉄筋１を対向させて、両支持鉄筋が外側に向き、略平行となるように配置して、第一主鉄筋１、１を連結材１１、１１で互いに固定して、この状態を保持する（図３（ａ）（ｂ））。この際、長さＬ１が、鉄筋篭のＸ方向の側面の巾（隅部の軸鉄筋の位置）に応じて形成され、長さＬ２がＹ方向の側面の巾（隅部の軸鉄筋の位置）に応じて形成されている（図３（ｂ））。
【００３４】
（２）  連結した鉄筋用治具１０、１０を基台２２上に載せる（図３（ａ）（ｂ））。
【００３５】
（３）  上側の支持鉄筋７、７上に、Ｘ方向の一側の面の軸鉄筋２４、２４を架設して、軸鉄筋２４、２４と支持鉄筋７、７とを結束固定する。軸鉄筋７、７は図３（ｄ）のＸ方向で４本並列する。この際、隅部２４ａの軸鉄筋は、支持鉄筋７の端縁８、８を案内として、中間部の軸鉄筋２４、２４は、予めその位置を支持鉄筋にマークしておけばそれを案内として、また第二主鉄筋２、２に沿わせて配置することにより、容易に所定位置に配置できる。
【００３６】
（４）  同様にして、鉄筋用治具１１０、１０を逆回転して、Ｘ方向の他側の軸鉄筋２５、２５を同様に配置して、支持鉄筋に仮止めする。同時に、図３（ｄ）のＹ方向の軸鉄筋２６、２６を配筋しながら、帯筋（せん断補強鉄筋）２８、２８を軸鉄筋２５、２６を囲うように取付けし、軸鉄筋２４、２５、２６と帯筋２８、２８とを結束固定する。以上のようにして、柱の鉄筋篭３０の構築が完了する（図３（ｃ）（ｄ））。尚、結束固定に代わり、スポット溶接等を使用することもできる。
【００３７】
また、前記において、長さＬ１、Ｌ２を所定寸法に設定することにより、同様な手順で、梁用の鉄筋篭を組み立てることもできる（図示していない）。
【００３８】
（５）  鉄筋篭３０は、内部に鉄筋篭用治具１０が取り付けられていいるので、搬送、施工の際に、重機などで吊り上げたり、片持ち支持した場合であっても鉄筋篭３０が変形したり、歪みが生じることを防止できる。
【００３９】
（６）  前記実施例において、鉄筋篭用治具１０、１０を横にして基台２２に載せて作業したが、基台２２に縦（主鉄筋が略鉛直方向になるように）に載せて作業をすることもでき、更に基台２２を使わす、鉄筋篭用治具１０、１０を吊った状態で作業をすることもできる。
【００４０】
また、前記実施例において、両鉄筋篭用治具１０、１０は、連結材１１で接合したが、Ｌ１、Ｌ２の位置を保持できれば、連結材料・方法等は任意である。
【００４１】
また、前記実施例において、鉄筋篭用治具１０、１０は夫々の支持鉄筋７、７が略平行となるように、２つを対向して設置したが、略直角で連結して使用することもできる（図示していない）。また、鉄筋篭用治具１０、１０は、２つ使用したが、前記実施例２のように鉄筋篭用治具を１つのみで、柱の一側面と支持鉄筋とを対応させることもできる（図示していない）。また、鉄筋篭用治具１０、１０は３つあるいは４つ使用することもできる（図示していない）。
【００４２】
【実施例４】
図４に基づき、前記鉄筋篭用治具１０を使用した鉄筋篭の組立方法で、壁用の鉄筋篭３６に適用した実施例について説明する。
【００４３】
（１）  この実施例では、支持鉄筋７、７を使用しない構成の複数の鉄筋篭用治具１０、１０を使用する。
【００４４】
（２）  所定基台２２上に、縦軸鉄筋３２、横軸鉄筋３３と格子状に並べて、必要ならば、動かないように、両軸鉄筋を予め仮固定しておく（図４（ａ））。並べた縦軸鉄筋３２、３２、横軸鉄筋３３、３３から第一格子鉄筋３４とする。第一格子鉄筋３４上に、第二主鉄筋２が横軸鉄筋３３と直交するように（第二主鉄筋が縦軸鉄筋３２に沿うように）、鉄筋篭用治具１０、１０を並べる（図４（ａ））。
【００４５】
（３）  続いて、第二主鉄筋２、横軸鉄筋３３、縦軸鉄筋３２の当接点を溶接して、第一格子鉄筋３４と鉄筋篭用治具１０、１０とを一体に固定する（図４（ａ））。
【００４６】
（４）  続いて、鉄筋篭用治具１０、１０の第一主鉄筋１、１間に、第一主鉄筋１と直交するように、他の横軸鉄筋３３、３３を並べ、横軸鉄筋３３、３３上に直交するように、縦軸鉄筋３２、３２を並べる。この際、第一主鉄筋１を案内として、縦軸鉄筋３２を配置できる。ここで、第一主鉄筋１上の縦軸鉄筋３２、横軸鉄筋３３から第二格子鉄筋３５を構成する。
【００４７】
続いて、第一主鉄筋１、横軸鉄筋３３、縦軸鉄筋３２の当接点を溶接して、第一格子鉄筋３４と鉄筋篭用治具１０、１０とを一体に固定する。
【００４８】
（５）  以上のようにして、第一格子鉄筋３４、第二格子鉄筋３５と鉄筋篭用治具１０、１０とを一体に固定し、いわゆるダブル配筋した壁用の鉄筋篭３６を構成する。尚、前記において、壁用の鉄筋篭の組立に適用したが、床用の鉄筋篭にも同様の手順で適用できる。
【００４９】
（６）  前記実施例において、縦軸鉄筋３２、横軸鉄筋３３を並べてた後に、鉄筋篭用治具１０と固定したが、予め縦軸鉄筋３２、横軸鉄筋３３を並べて固定し格子鉄筋３４、３５を形成しておき、これを鉄筋篭用治具１０、１０に固定することもできる（図示していない）。
【００５０】
また、前記実施例において、基台２２上に、縦軸鉄筋３２及び横軸鉄筋３３を載置したが、基台２２上に、第一主鉄筋１を上にして鉄筋篭用治具１０、１０を並列して載置し、鉄筋篭用治具１０（第一主鉄筋１）を案内として、これに第二格子鉄筋３５を固定することもできる（図示していない）。この場合、固定した第二格子鉄筋３５、鉄筋篭用治具１０を上下反転して、鉄筋篭用治具１０の第二主鉄筋２、２上に第一格子鉄筋を固定する。
【００５１】
また、前記実施例において、支持部材７を使用しない鉄筋篭用治具１０を使用したが、前記実施例１の支持部材７を固定した鉄筋篭用治具１０（図１）を使用することもできる（図示していない）。この場合、支持部材７を使って隣接する鉄筋篭用治具１０、１０を一体に固定して、取り扱うこともできる（図示していない）。
【００５２】
【発明の効果】
第一第二主鉄筋とラチス筋とからなるトラスに支持部材を取り付けたので、支持部材及び第一第二主鉄筋を案内として、鉄筋篭を正確かつ容易に組立できる効果がある。また、地面や現場のスラブ上等の水平面で組み立てたパネル状の鉄筋篭を移動して、所定設置場所に組み込むことができるので、配筋作業を大幅に簡略化できる効果がある。また、配筋作業時に、鉄筋篭を重機で吊り込んだり、人力で移動したりする場合にも、鉄筋篭は鉄筋篭用治具で保形され、鉄筋篭に変形や歪みの発生を防止できる。
【図面の簡単な説明】
【図１】この発明の鉄筋篭用治具で、（ａ）は正面図、（ｂ）は側面図、（ｃ）は平面図である。
【図２】この発明の鉄筋篭用治具を小梁の構築に利用した実施例で、（ａ）は大梁に治具を架設した状態の正面図、（ｂ）同じく側面図、（ｃ）小梁を組み立てた状態の正面図、（ｄ）同じく側面図である。
【図３】この発明の鉄筋篭用治具を柱の組立に適用した実施例で、（ａ）は治具を並べた状態の正面図、（ｂ）同じく側面図、（ｃ）鉄筋を組み立てた状態の正面図、（ｄ）同じく側面図である。
【図４】この発明の鉄筋篭用治具を壁の組立に適用した実施例で、（ａ）は治具を並べた状態の正面図、（ｂ）は構成した鉄筋篭の正面図である。
【符号の説明】
１    第一主鉄筋
２    第二主鉄筋
３    ラチス筋
４    ラチス筋の山部
５    ラチス筋の谷部
７    支持鉄筋
８    支持鉄筋の端縁
１０  鉄筋篭用治具
１１  連結材
１３  大梁
１４  大梁の上面
１６  上軸鉄筋
１６  上軸鉄筋（隅部）
１７  下軸鉄筋（隅部）
１８  あばら筋（せん断補強筋）
２０  小梁（鉄筋篭）
２２  基台
２４  軸鉄筋
２５  軸鉄筋
２６  軸鉄筋
２８  帯筋（せん断補強筋）
３０  柱用の鉄筋篭
３２  縦軸鉄筋
３３  横軸鉄筋
３４  格子鉄筋
３５  格子鉄筋
３６  壁用の鉄筋篭
【図１】
2005009241.tif 000003
【図２】
2005009241.tif 000004
【図３】
2005009241.tif 000005
【図４】
2005009241.tif 000006